(57)【要約】  【課題】  調理器ごと燃やして食材を加熱調理することのできる調理器を提供する。  【解決手段】  調理器１は、調理対象の食材が収納される凹部２を有する本体３と、凹部２を覆う蓋体４を備えている。本体３と蓋体４は、可燃性の材料で構成されており、凹部２に食材を収納して凹部２を蓋体４で覆った状態で、調理器１を火に入れて燃やすことにより、食材が加熱調理される。【選択図】  図１
2019126653.tif 000002
【特許請求の範囲】
【請求項１】
調理対象の食材が収納される凹部を有する本体と、
前記凹部を覆う蓋体と、
を備えた調理器において、
前記本体と前記蓋体は、可燃性の材料で構成されており、
前記凹部に食材を収納して前記凹部を前記蓋体で覆った状態で、前記調理器を燃やすことにより、前記食材が加熱調理されることを特徴とする調理器。
【請求項２】
前記可燃性の材料は、紙材、木材、または、植物性素材である、請求項１に記載の調理器。
【請求項３】
前記可燃性の材料は、燃やしたときに有害物質が発生しない材料である、請求項１または請求項２に記載の調理器。
【請求項４】
前記本体および前記蓋体の大きさは、前記食材の加熱調理時間に応じて定められている、請求項１〜請求項３のいずれか一項に記載の調理器。
【請求項５】
前記本体および前記蓋体の厚さは、前記食材の加熱調理時間に応じて定められている、請求項１〜請求項４のいずれか一項に記載の調理器。
【発明の詳細な説明】
【技術分野】
【０００１】
本発明は、調理器ごと燃やして食材を加熱調理することができる調理器に関する。
【背景技術】
【０００２】
従来から、紙材を用いて作られた鍋が提案されている（例えば特許文献１および２参照）。従来の鍋では、耐火性の紙材で鍋底が作られている。耐火性の紙材としては、例えば固形燃料の発火炎の温度（約８００度）に耐えることができる紙材が用いられる。そして、従来の鍋を使用する場合には、鍋の中に豆腐などの具材と水などの汁を入れた状態で、鍋の下面に火を当てて、鍋を下から熱することにより鍋の中の具材や汁を加熱調理する。
【先行技術文献】
【特許文献】
【０００３】
【特許文献１】登録実用新案第３０１３８４３号公報
【特許文献２】実開平７−３６９４０号公報
【発明の概要】
【発明が解決しようとする課題】
【０００４】
しかしながら、従来の鍋は、紙材を用いて作られているものの、その使い方は、土鍋や金属鍋などと同じであり、面白みに欠けるものであった。そこで、従来にはないまったく新しい使い方をする調理器が望まれていた。
【０００５】
本発明は、上記の課題に鑑みてなされたもので、調理器ごと燃やして食材を加熱調理することのできる調理器を提供することを目的とする。
【課題を解決するための手段】
【０００６】
本発明の調理器は、調理対象の食材が収納される凹部を有する本体と、前記凹部を覆う蓋体と、を備えた調理器において、前記本体と前記蓋体は、可燃性の材料で構成されており、前記凹部に食材を収納して前記凹部を前記蓋体で覆った状態で、前記調理器を燃やすことにより、前記食材が加熱調理される。
【０００７】
この構成によれば、調理器の本体と蓋体が可燃性の材料で構成されているので、調理器の本体の凹部に食材を収納して凹部を蓋体で覆った状態で、調理器ごと火に入れて燃やすことによって、食材を加熱調理することができる。
【０００８】
また、本発明の調理器では、前記可燃性の材料は、紙材、木材、または、植物性素材であってもよい。
【０００９】
この構成によれば、調理器の本体と蓋体を構成する可燃性の材料として、段ボールなどの紙材や、バルサなどの木材、または、ワラなどの植物性素材を利用することができる。なお、植物性素材としては、植物性プラスチックなども利用することができる。
【００１０】
また、本発明の調理器では、前記可燃性の材料は、燃やしたときに有害物質が発生しない材料であってもよい。
【００１１】
この構成によれば、調理器の本体と蓋体が、燃やしたときに有害物質が発生しない材料で構成されている（例えば、接着剤などが使われていない）ので、調理器ごと燃やすことによって食材を加熱調理する際に、有害物質が発生することがなく、安心・安全性が向上する。
【００１２】
また、本発明の調理器では、前記本体および前記蓋体の大きさは、前記食材の加熱調理時間に応じて定められてもよい。
【００１３】
この構成によれば、食材の加熱調理時間に応じて、調理器の本体の大きさ（本体の直径や高さなど）や蓋体の大きさ（蓋体の直径など）が定められているので、調理器を燃やすだけで、適切な加熱調理時間で食材を加熱調理することができる。
【００１４】
また、本発明の調理器では、前記本体および前記蓋体の厚さは、前記食材の加熱調理時間に応じて定められてもよい。
【００１５】
この構成によれば、食材の加熱調理時間に応じて、調理器の本体や蓋体の厚さが定められているので、調理器を燃やすだけで、適切な加熱調理時間で食材を加熱調理することができる。
【発明の効果】
【００１６】
本発明によれば、調理器ごと燃やして食材を加熱調理することができる。
【図面の簡単な説明】
【００１７】
【図１】本発明の実施の形態における調理器の斜視図である。
【図２】本発明の実施の形態における調理器の分解斜視図である。
【図３】本発明の実施の形態における調理器の蓋体の組立て方法の説明図である。
【図４】本発明の実施の形態における調理器の本体の組立て方法の説明図である。
【図５】本発明の実施の形態における調理器の本体の組立て方法の説明図である。
【図６】本発明の実施の形態における調理器の本体の組立て方法の説明図である。
【図７】本発明の実施の形態における調理器の本体の組立て方法の説明図である。
【図８】本発明の実施の形態における調理器の本体の組立て方法の説明図である。
【図９】本発明の実施の形態における調理器の本体の組立て方法の説明図である。
【図１０】本発明の実施の形態における調理器の本体の組立て方法の説明図である。
【発明を実施するための形態】
【００１８】
以下、本発明の実施の形態の調理器について、図面を用いて説明する。本実施の形態では、キャンプ用品やアウトドア用品等として用いられる調理器の場合を例示する。
【００１９】
本発明の実施の形態の調理器の構成を、図面を参照して説明する。図１は、本実施の形態の調理器を示す斜視図であり、図２は、本実施の形態の調理器の分解斜視図である。図１および図２に示すように、本実施の形態の調理器１は、鍋の形状を有している。具体的には、調理器１は、調理対象の食材（図示せず）が収納される凹部２を中央に有する本体３と、凹部２を覆う蓋体４を備えている。本体３は、有底円筒形状であり、本体３の上部両側には、左右一対の取っ手部５が外側に向けて突出して設けられている。また、蓋体４は、円板形状であり、蓋体４の中央には、つまみ部６が上側に向けて突出して設けられている。
【００２０】
調理器１の本体３と蓋体４は、可燃性の材料で構成されている。本実施の形態では、可燃性の材料として、段ボールなどの紙材が用いられる。なお、可燃性の材料としては、バルサなどの木材や、ワラなどの植物性素材を利用することもできる。また、植物性素材としては、植物性プラスチックなども利用することができる。
【００２１】
また、調理器１の本体３と蓋体４は、燃やしたときに有害物質が発生しない材料で構成されている。より具体的には、本体３と蓋体４は、段ボールで構成された複数の部品を積層して組み立てることにより構成されており、本体３と蓋体４を組み立てるために接着剤が使われていない。なお、調理器１の組立て方については、後で図面を参照しながら詳しく説明する。
【００２２】
本実施の形態では、調理器１の本体３の大きさ（本体３の直径や高さなど）や蓋体４の大きさ（蓋体４の直径など）は、食材の加熱調理時間に応じて定められている。より具体的には、食材の加熱調理時間が長いほど、調理器１の本体３の大きさ（本体３の直径や高さなど）や蓋体４の大きさ（蓋体４の直径など）は大きくなるように設計されており、食材の加熱調理時間が短いほど、調理器１の本体３の大きさ（本体３の直径や高さなど）や蓋体４の大きさ（蓋体４の直径など）は小さくなるように設計されている。
【００２３】
また、調理器１の本体３や蓋体４の厚さは、食材の加熱調理時間に応じて定められている。より具体的には、食材の加熱調理時間が長いほど、調理器１の本体３や蓋体４の厚さは大きくなるように設計されており、食材の加熱調理時間が短いほど、調理器１の本体３や蓋体４の厚さは小さくなるように設計されている。
【００２４】
次に、図３〜図１０を参照して、調理器１の組立て方を説明する。図３および図４に示すように、調理器１の本体３と蓋体４は、段ボールで構成された複数の部品を積層して組み立てることにより構成されている。
【００２５】
図３に示すように、蓋体４は、複数（図３の例では５つ）の円板形の蓋部品４０と、円柱状のつまみ部品４１で構成されている。蓋部品４０の中央には、円形の孔部４００が設けられており、複数の蓋部品４０を積層させた状態で、蓋部品４０の孔部４００につまみ部品４１を差し込むことにより、蓋体４が組み立てられる。
【００２６】
図４に示すように、本体３は、最下層のベース部品３０と、ベース部品３０の上に積層される複数の底板部品３１と、底板部品３１の上に積層される複数の胴部品３２と、胴部品３２の上に積層される複数の取っ手部品３３で構成されている。ベース部品３０は、円板形の円板部３００と、円板部３００の左右両端から上側に向けて延びる一対の長片部３０１を備えている。底板部品３１は、円板形を有している。胴部品３２は、平板状の円環形を有しており、胴部品３２には、長片部３０１が挿通される一対の挿通孔３２０が設けられている。取っ手部品３３は、平板状の円環部３３０と、円環部３３０の左右両端から外側に向けて突出して設けられた一対の突出部３３１を備えている。円環部３３０には、長片部３０１が挿通される一対の内側挿通孔３３２が設けられており、突出部３３１には、長片部３０１が挿通される一対の外側挿通孔３３３が設けられている。
【００２７】
本体３を組み立てる場合には、図４に示すように、最下層からベース部品３０、底板部品３１、胴部品３２、取っ手部品３３の順に積層し、ベース部品３０の長片部３０１を胴部品３２の挿通孔３２０と取っ手部品３３の内側挿通孔３３２に下側から挿通させる。そして、図５に示すように、ベース部品３０の長片部３０１を取っ手部品３３の突出部３３１の上面に沿わせるように外側に折り曲げ、さらに、図６に示すように、ベース部品３０の長片部３０１を取っ手部品３３の突出部３３１の外周に沿わせるように下側に折り曲げ、さらに、図７および図８に示すように、ベース部品３０の長片部３０１を取っ手部品３３の突出部３３１の下面に沿わせるように内側に折り曲げる。そして、図９および図１０に示すように、ベース部品３０の長片部３０１を折り曲げて取っ手部品３３の外側挿通孔３３３に下側から挿入する。このようにして、本体３が組み立てられる。
【００２８】
以上のようにして組み立てた調理器１を使用する場合には、まず本体３の凹部２に食材を収納し、凹部２を蓋体４で覆った状態で、調理器１ごと火に入れて燃やす。調理器１が燃え尽きた時点で、食材の加熱調理が完了する。
【００２９】
本実施の形態の調理器１によれば、調理器１の本体３と蓋体４が可燃性の材料で構成されているので、調理器１の本体３の凹部２に食材を収納して凹部２を蓋体４で覆った状態で、調理器１ごと火に入れて燃やすことによって、食材を加熱調理することができる。
【００３０】
また、本実施の形態では、調理器１の本体３と蓋体４を構成する可燃性の材料として、段ボールなどの紙材や、バルサなどの木材、または、ワラなどの植物性素材を利用することができる。なお、植物性素材としては、植物性プラスチックなども利用することができる。
【００３１】
また、本実施の形態では、調理器１の本体３と蓋体４が燃やしたときに有害物質が発生しない材料で構成されている（例えば、接着剤などが使われていない）ので、調理器１ごと燃やすことによって食材を加熱調理する際に、有害物質が発生することがなく、安心・安全性が向上する。
【００３２】
また、本実施の形態では、食材の加熱調理時間に応じて、調理器１の本体３の大きさ（本体３の直径や高さなど）や蓋体４の大きさ（蓋体４の直径など）が定められているので、調理器１を燃やすだけで、適切な加熱調理時間で食材を加熱調理することができる。
【００３３】
また、本実施の形態では、食材の加熱調理時間に応じて、調理器１の本体３や蓋体４の厚さが定められているので、調理器１を燃やすだけで、適切な加熱調理時間で食材を加熱調理することができる。
【００３４】
以上、本発明の実施の形態を例示により説明したが、本発明の範囲はこれらに限定されるものではなく、請求項に記載された範囲内において目的に応じて変更・変形することが可能である。
【００３５】
例えば、以上の説明では、調理器１が鍋の形状（本体３と蓋体４で構成された形状）を有している例について説明したが、調理器１の形状はこれに限られない。調理器１は、少なくとも調理対象の食材が収納される収納部を有していれば如何なる形状であってもよい。
【産業上の利用可能性】
【００３６】
以上のように、本発明にかかる調理器は、調理器ごと燃やして食材を加熱調理することができるという効果を有し、キャンプ用品やアウトドア用品等として用いられ、有用である。
【符号の説明】
【００３７】
１  調理器
２  凹部
３  本体
４  蓋体
５  取っ手部
６  つまみ部
３０  ベース部品
３１  底板部品
３２  胴部品
３３  取っ手部品
４０  蓋部品
４１  つまみ部品
３００  円板部
３０１  長片部
３２０  挿通孔
３３０  円環部
３３１  突出部
３３２  内側挿通孔
３３３  外側挿通孔
４００  孔部
【図１】
2019126653.tif 000003
【図２】
2019126653.tif 000004
【図３】
2019126653.tif 000005
【図４】
2019126653.tif 000006
【図５】
2019126653.tif 000007
【図６】
2019126653.tif 000008
【図７】
2019126653.tif 000009
【図８】
2019126653.tif 000010
【図９】
2019126653.tif 000011
【図１０】
2019126653.tif 000012